【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
トナー像を担持する像担持体と、
記録材を担持搬送する移動可能なベルト部材と、
前記ベルト部材に担持搬送される記録材に前記像担持体に形成されたトナー像を静電的に転写する転写部材と、
前記ベルト部材の幅方向において複数の突出部を備え、記録材の搬送方向において前記転写部材よりも下流側にある前記ベルト部材を内面側から押し上げる押し上げ部材と、
を有する画像形成装置において、
前記複数の突出部が前記ベルト部材を押し上げて前記ベルト部材の面に前記幅方向において複数の突出を形成する第一のモードと、前記複数の突出部を前記ベルト部材から離間させる第二のモードと、を実行する実行手段を有し、
前記実行手段は、第一の剛度の記録材が前記ベルト部材で搬送されるときには前記第一のモードを実行し、第一の剛度よりも大きい第二の剛度の記録材が前記ベルト部材で搬送されるときには前記第二のモードを実行することを特徴とする画像形成装置。
【請求項２】
トナー像を担持する像担持体と、
記録材を担持搬送する移動可能なベルト部材と、
前記ベルト部材に担持搬送される記録材に前記像担持体に形成されたトナー像を静電的に転写する転写部材と、
前記ベルト部材の幅方向において複数の突出部を備え、記録材の搬送方向において前記転写部材よりも下流側にある前記ベルト部材を内面側から押し上げる押し上げ部材と、
を有する画像形成装置において、
前記複数の突出部が前記ベルト部材を押し上げて前記ベルト部材の面に前記幅方向において複数の突出を形成する第一のモードと、前記複数の突出部を前記ベルト部材から離間させる第二のモードと、を実行する実行手段を有し、
前記実行手段は、第一の厚みの記録材が前記ベルト部材で搬送されるときには前記第一のモードを実行し、第一の厚みよりも大きい第二の厚みの記録材が前記ベルト部材で搬送されるときには前記第二のモードを実行することを特徴とする画像形成装置。
【請求項３】
トナー像を担持する像担持体と、
記録材を担持搬送する移動可能なベルト部材と、
前記ベルト部材に担持搬送される記録材に前記像担持体に形成されたトナー像を静電的に転写する転写部材と、
前記ベルト部材の幅方向において複数の突出部を備え、記録材の搬送方向において前記転写部材よりも下流側にある前記ベルト部材を内面側から押し上げる押し上げ部材と、
を有する画像形成装置において、
前記複数の突出部が前記ベルト部材を押し上げて前記ベルト部材の面に前記幅方向において複数の突出を形成する第一のモードと、前記複数の突出部を前記ベルト部材から離間させる第二のモードと、を実行する実行手段を有し、
前記実行手段は、第一の坪量の記録材が前記ベルト部材で搬送されるときには前記第一のモードを実行し、第一の坪量よりも大きい第二の坪量の記録材が前記ベルト部材で搬送されるときには前記第二のモードを実行することを特徴とする画像形成装置。
【請求項４】
前記転写部材に流れる電流を検知する転写電流検知手段をさらに有し、
前記実行手段は、記録材が前記転写部を搬送されるときに前記転写電流検知手段により検知される電流が第一の電流のときには、前記第一のモードを実行し、第一の電流値より小さい第二の電流値のときには、前記第二のモードを実行することを特徴とする請求項１乃至３のいずれか一項に記載の画像形成装置。
【請求項５】
前記押し上げ部材は、前記画像形成装置に使用される記録材のうち、前記幅方向において最小サイズの記録材が通過する範囲内に複数の突出部を有することを特徴とする請求項１乃至４のいずれか一項に記載の画像形成装置。
【請求項６】
前記第一のモードは、前記ベルト部材に搬送される記録材の幅に対応する領域において少なくとも二つの突出部が前記ベルト部材を押し上げた状態で前記押し上げ部材を維持することを特徴とする請求項１乃至５のいずれか一項に記載の画像形成装置。
【請求項７】
記録材の前記幅方向の中央が前記ベルト部材の前記幅方向の中央を基準として搬送され、
前記第一のモードにおいて、前記ベルト部材を押し上げる複数の突出部のそれぞれは、前記ベルト部材の前記幅方向の中央を基準として対称に配置されることを特徴とする請求項１乃至６のいずれか一項に記載の画像形成装置。
【請求項８】
前記押し上げ部材は第一の突出部と、前記幅方向で前記第一の突出部に隣接する第二の突出部とを有し、
前記第一のモードにおいて前記第一及び第二の突出部がそれぞれ前記ベルト部材に接触している前記幅方向の長さを加算した値は、前記第一の突出部と前記第二の突出部との間にあって前記ベルト部材に接触していない前記幅方向の長さより短いことを特徴とする請求項１乃至７のいずれか一項に記載の画像形成装置。
【請求項９】
前記画像形成装置に使用される記録材のうち、前記幅方向において最小サイズの記録材の各端部位置に最も近い前記突出部同士の間隔は、前記最小サイズの記録材の幅より狭いことを特徴とする請求項１乃至８のいずれか一項に記載の画像形成装置。
【請求項１０】
前記画像形成装置に使用される記録材のうち、前記幅方向において最大サイズの記録材の各端部位置に最も近い前記突出部同士の間隔は、前記最大サイズの記録材の幅より狭いことを特徴とする請求項１乃至９のいずれか一項に記載の画像形成装置。
【請求項１１】
前記第一のモードにおいて、前記幅方向において記録材の通紙領域にある突出部が前記ベルト部材を押し上げた状態であり、記録材の非通紙領域にある突出部は前記ベルト部材から離間させた状態であることを特徴とする請求項１乃至１０のいずれか一項に記載の画像形成装置。
【請求項１２】
前記押し上げ部材は、記録材の搬送方向と交差する方向に配置され、前記複数の突出部を支持する軸を有し、
前記複数の突出部のそれぞれは、前記軸を中心に回転するコロを有し、
前記第一のモードにおいて、前記突出部は前記ベルト部材を押し上げた状態で前記ベルト部材の移動に伴って従動回転することを特徴とする請求項１乃至１１のいずれか一項に記載の画像形成装置。
【手続補正２】
【補正対象書類名】明細書
【補正対象項目名】０００８
【補正方法】変更
【補正の内容】
【０００８】
一方で、記録材が厚い場合、転写ベルトを張架する張架部材の曲率と記録材の剛度の強さ（大きさ）を利用して、転写ベルトから分離することができることがわかっている。
【手続補正３】
【補正対象書類名】明細書
【補正対象項目名】００１０
【補正方法】変更
【補正の内容】
【００１０】
そこで本願発明は、薄い（剛度が小さい）記録材の転写ベルトからの分離と厚い（剛度が大きい）記録材の転写ベルトからの分離を異なる位置で行う画像形成装置において、薄い記録材の分離後の搬送性の安定と、薄い記録材の分離とは異なる部材で分離した厚い記録材の分離後の搬送性の安定を両立する画像形成装置を提供する。
【手続補正４】
【補正対象書類名】明細書
【補正対象項目名】００１１
【補正方法】変更
【補正の内容】
【００１１】
本発明の上記課題は、トナー像を担持する像担持体と、記録材を担持搬送する移動可能なベルト部材と、前記ベルト部材に担持搬送される記録材に前記像担持体に形成されたトナー像を静電的に転写する転写部材と、前記ベルト部材の幅方向において複数の突出部を備え、記録材の搬送方向において前記転写部材よりも下流側にある前記ベルト部材を内面側から押し上げる押し上げ部材と、を有する画像形成装置において、前記複数の突出部が前記ベルト部材を押し上げて前記ベルト部材の面に前記幅方向において複数の突出を形成する第一のモードと、前記複数の突出部を前記ベルト部材から離間させる第二のモードと、を実行する実行手段を有し、前記実行手段は、第一の剛度の記録材が前記ベルト部材で搬送されるときには前記第一のモードを実行し、第一の剛度よりも大きい第二の剛度の記録材が前記ベルト部材で搬送されるときには前記第二のモードを実行することを特徴とする画像形成装置によって解決される。